(57)【要約】【課題】複数の火力調節スイッチの選択時に、その選択した火力調節スイッチの設定状態を表示部に表示するとともに、火力調節スイッチと対応したランプを点灯させることにより、火力調節スイッチを押した状態を確実に確認することができるようにし、操作性を向上させる。【解決手段】本体１の内部にインダクションヒータ６を備え、インダクションヒータ６の上部をトッププレート２で覆い、トッププレート２の周囲をプレート枠３で覆い、本体１の上面には運転状態や火力の設定状態を表示する表示部５と、インダクションヒータ６の火力を調節する複数の火力調節スイッチ１０ａ、１０ｂ、１０ｃ、１０ｄよりなる火力調節スイッチ類１０を備えた誘導加熱調理器において、前記火力調節スイッチ類１０と対応した位置にランプ１５を配置し、火力調節スイッチ類１０の選択時に、その選択した火力調節スイッチ類１０と対応したランプ１５を点灯させる。【選択図】図３
2006228585.tif 000002
【特許請求の範囲】
【請求項１】
本体の内部にインダクションヒータと、このインダクションヒータを制御する制御部を備えるとともに、インダクションヒータの上部をトッププレートで覆い、トッププレートの周囲をプレート枠で覆い、本体の上面には運転状態や火力の設定状態を表示する表示部と、インダクションヒータの火力を調節する複数の火力調節スイッチよりなる火力調節スイッチ類を備えた誘導加熱調理器において、前記複数の火力調節スイッチと対応した位置にランプを配置し、火力調節スイッチの選択時に、その選択した火力調節スイッチと対応したランプを点灯させることを特徴とする誘導加熱調理器。
【請求項２】
インダクションヒータの運転を行う切／入スイッチを選択したとき、火力調節スイッチと対応したランプのすべてを点滅させることにより、次に押す火力調節スイッチをわかりやすくしたことを特徴とする請求項１記載の誘導加熱調理器。
【発明の詳細な説明】
【技術分野】
【０００１】
本発明は、一般家庭の厨房で誘導加熱を熱源としてトッププレート上の調理鍋などの調理器具を加熱するクッキングヒータなどの誘導加熱調理器に関するものである。
【背景技術】
【０００２】
従来のクッキングヒータにおいては、運転・停止を行う切／入スイッチや火力調節スイッチ類を本体の前面に配置された操作パネル部に配置するの一般的であった。
【０００３】
しかし、近年は、運転・停止を行う切／入スイッチや火力調節スイッチ類及び火力等の表示部を使用者が立ったままでも操作したり確認しやすいように、トッププレートのある本体上面に設けるものが一般的になりつつある。
【０００４】
このような従来例の一例として、特許文献１及び特許文献２に示すものがある。
【０００５】
【特許文献１】特開平１１−２４１２号公報
【特許文献２】特開２００３−３４７０２４号公報
【発明の開示】
【発明が解決しようとする課題】
【０００６】
しかしながら、前記したように、運転・停止を行う切／入スイッチや火力調節スイッチ等のスイッチ類が多くなると、操作が難しく、特に、シルバー層ではどのスイッチを押せばよいのかわかりづらく、また、火力調節スイッチを押した際に、その設定状態を表示する火力の表示部のみでは本当にその火力調節スイッチが押されたのかどうか、わかりづらい等の問題があった。
【課題を解決するための手段】
【０００７】
かかる従来の問題を解決するため、本発明の請求項１では、本体の内部にインダクションヒータと、このインダクションヒータを制御する制御部を備えるとともに、インダクションヒータの上部をトッププレートで覆い、トッププレートの周囲をプレート枠で覆い、本体の上面には運転状態や火力の設定状態を表示する表示部と、インダクションヒータの火力を調節する複数の火力調節スイッチよりなる火力調節スイッチ類を備えた誘導加熱調理器において、前記複数の火力調節スイッチと対応した位置にランプを配置し、火力調節スイッチの選択時に、その選択した火力調節スイッチと対応したランプを点灯させるものである。
【０００８】
また、請求項２では、インダクションヒータの運転を行う切／入スイッチを選択したとき、火力調節スイッチと対応したランプのすべてを点滅させることにより、次に押す火力調節スイッチをわかりやすくしたものである。
【発明の効果】
【０００９】
本発明の誘導加熱調理器によれば、複数の火力調節スイッチの選択時に、その選択した火力調節スイッチを押すと、その火力調節スイッチと対応したランプが点灯し、選択された火力調節スイッチの設定状態が表示部に表示されるとともに、火力調節スイッチと対応したランプが点灯するため、火力調節スイッチを押した状態を容易に確認することができる。
【００１０】
また、インダクションヒータを運転するために切／スイッチを選択して押すと、火力調節スイッチと対応したランプが点滅するため、次に押す火力設定スイッチの選択をわかりやすくすることができ操作性が向上する。
【発明を実施するための最良の形態】
【００１１】
以下、本発明の一実施例を図面に沿って説明する。
【００１２】
図面は、本発明の一実施例を示すものであり、図１は本発明のクッキングヒータの据え付け状態を示す斜視図であり、図２は本発明のクッキングヒータの運転状態及び火力調節状態を示す詳細図であり、図３（ａ）（ｂ）（ｃ）は本発明のクッキングヒータの動作時における運転状態及び火力調節状態を示す詳細図である。
【００１３】
図において、１はクッキングヒータの本体、２は本体１の上面に配置されたトッププレートであり、耐熱性が高い結晶化ガラスで構成されている。
【００１４】
３はプレート枠で、前後左右の４分割部品で構成されており、トッププレート２の周囲の端面部を覆っている。
【００１５】
また、このプレート枠３は、本体１にも固定されており、本体１をシステムキッチン１６に取り付ける際は、プレート枠３で本体１を吊り上げて設置する。従って、システムキッチン１６の表面に出るのはトッププレート２とプレート枠３の部分である。
【００１６】
４はジョイント部品で、プレート枠３の４分割部品の端面部を接続している。
【００１７】
５は表示部で、トッププレート２の前面側、すなわち、調理用鍋を載置する位置より手前側に配置されており、後記するインダクションヒータ６の運転状態や運転するための設定状態、すなわち、火力やタイマーの設定状態、揚げ物調理時の油温等を数値および文字、図形により表示するものである。
【００１８】
６はインダクションヒータ、７はラジェントヒータで、トッププレート２の下部で本体１内の左右と後部中央に夫々設置されており、トッププレート２上に載置された調理用鍋を加熱するものである。なお、図示しないが、これらのインダクションヒータ６、ラジェントヒータ７の制御部は本体１内に設置されている。
【００１９】
８は魚焼きグリル部で、本体１内の左側下部に配置されており、本体１の前面より魚を出し入れできる。９はトッププレート２の後方の左側に設けられた排気口であり、魚焼きグリル部８から排出される排気や本体１の内部のインダクションヒータ６、制御部の基板（図示せず）を冷却した廃熱を排出する。
【００２０】
９はインダクションヒータ６及びラジェントヒータヒータ７の通電・停止を行う切／入スイッチ、１０はインダクションヒータ６及びラジェントヒータヒータ７の火力調節を行う火力調節スイッチ類、１１は火力微調節スイッチで、いずれも前部側のプレート枠３に配置されている。また、前記火力調節スイッチ類１０は、とろ火、弱火、中火、強火よりなる火力調節スイッチ１０ａ、１０ｂ、１０ｃ、１０ｄで構成されており、火力微調節スイッチ１１は上げキー１１ａ、下げキー１１ｂで構成されている。
【００２１】
１２は本体１の内部に冷却用空気を吸引する吸気口で、トッププレート２の後方の右側に設けられている。
【００２２】
１３は本体１の前面右側上部に配置されたメインスイッチである。１４は本体１の前面右側下部に配置された操作パネル部であり、押して開く、所謂カンガルーポケット式となっており、その上面に魚焼きグリル部８の操作部やインダクションヒータ６、ラジェントヒータヒータ７のタイマー操作等の火力調節操作以外の操作部が配置されている。
【００２３】
１５はＬＥＤ等によって構成されたランプで、切／入スイッチ９、複数の火力調節スイッチ１０ａ、１０ｂ、１０ｃ、１０ｄ及び火力微調調節スイッチ１１と対応してその上面側に配置されており、これらの切／入スイッチ９、火力調節スイッチ１０ａ、１０ｂ、１０ｃ、１０ｄ及び火力微調節スイッチ１１を押したとき点灯するものであり、また、インダクションヒータ６の切／入スイッチ９を選択して押したときに、火力調節スイッチ１０ａ、１０ｂ、１０ｃ、１０ｄと対応したすべてを点滅させることにより、使用者に次に押す火力調節スイッチ１０ａ、１０ｂ、１０ｃ、１０ｄの選択をわかりやすくしたものである。
【００２４】
次に上記構成における動作を説明する。
【００２５】
一例として、使用者がトッププレート２の右側のインダクションヒータ６を使用して調理鍋を加熱する場合について説明する。
【００２６】
トッププレート２上に調理用鍋を載置した後、メインスイッチ１３をＯＮにする。この状態は図３（ａ）であり、表示部５には何も表示されておらず、また、ランプ１５も点滅も点灯もしていない。
【００２７】
次に、この図３（ａ）の状態からインダクションヒータ６を制御する切／入スイッチ９を選択して押すと、図３（ｂ）に示すように、切／入スイッチ９と対応したランプ１５が点灯するとともに、表示部５の一部と火力調節スイッチ１０ａ、１０ｂ、１０ｃ、１０ｄのそれぞれに対応したランプ１５が点滅表示し、使用者に次に火力調節スイッチ１０ａ、１０ｂ、１０ｃ、１０ｄの何れかを選択して押すのを知らせる。
【００２８】
ここで、一例として中火の火力調節スイッチ１０ｃを押すと、図３（ｃ）に示すように、その押された火力調節スイッチ１０ｃと対応したランプ１５が点灯するとともに、表示部５に火力表示等の運転状態が表示される。これにより、火力調節スイッチ１０ａ、１０ｂ、１０ｃ、１０ｄのどのスイッチを選択して押したかが確認できるとともに、表示部５との連動で火力の状態もわかり、視認性と操作性が向上する。
【００２９】
尚、ここで、中火をさらに微調節したい場合には、火力微調節スイッチ１１の上げキー１１ａ、下げキー１１ｂを押して調節すればよく、その状態は表示部５に表示される。
【００３０】
次に、図示しないが、例えば、火力調節スイッチ類１０のとろ火の火力調節スイッチ１０ａを押すと、上記と同様にその押された火力調節スイッチ１０ａと対応したランプ１５が点灯するとともに、表示部５にその運転状態が表示される。
【００３１】
さらに、弱火、強火の火力調節スイッチ１０ｂ、１０ｄを押した場合にも上記と同様にその押された火力調節スイッチ１０ｂ、１０ｄに対応したランプ１５が点灯するとともに、表示部５にその火力が表示される。もちろん、火力をさらに微調節したい場合には、火力微調節スイッチ１１の上げキー１１ａ、下げキー１１ｂを押して調節すればよい。
【００３２】
これにより、火力調節スイッチ類１０のどれを選択して押したかが確認できるとともに、表示部５との連動で火力の強弱の状態がわかり、視認性と操作性が向上する。
【００３３】
なお、上記した火力微調節スイッチ１１は火力の微調節以外、詳細には説明していないが、図３（ｃ）に示すように、上げキー１１ａ、下げキー１１ｂによって調理の時間設定もできる。
【００３４】
上記したように、本発明の誘導加熱調理器によれば、本体１の上面に運転状態や火力の設定状態を表示する表示部５と、インダクションヒータ６の火力を調節する複数の火力調節スイッチ１０ａ、１０ｂ、１０ｃ、１０ｄよりなる火力調節スイッチ類１０を備えた誘導加熱調理器において、前記複数の火力調節スイッチ１０ａ、１０ｂ、１０ｃ、１０ｄと対応した位置にランプ１５を配置し、火力調節スイッチ１０ａ、１０ｂ、１０ｃ、１０ｄの選択時に、その選択した火力調節スイッチ１０ａ、１０ｂ、１０ｃ、１０ｄと対応したランプ１５を点灯させるようにしたので、使用者は火力調節スイッチ類１０を押した状態を容易に確認することができる。
【００３５】
また、インダクションヒータ６を運転するために切／入スイッチ９を選択して押すと、火力調節スイッチ類１０と対応したランプ１５のすべてを点滅させることにより、次に押す火力調節スイッチ類１０がわかりやすくなり、操作性が向上するものである。
【００３６】
なお、上記実施例では、火力調節スイッチ類１０はとろ火、弱火、中火、強火よりなる火力調節スイッチ１０ａ、１０ｂ、１０ｃ、１０ｄで構成したが、必ずしもこの４つのスイッチに限定されるものではなく、例えば、とろ火と弱火を一緒にしてもよく、強火をさらに２つに分ける等の構成にしてもよい。
【図面の簡単な説明】
【００３７】
【図１】本発明のクッキングヒータの据え付け状態を示す斜視図である。
【図２】本発明のクッキングヒータの運転状態及び火力設定状態を示す詳細説明図である。
【図３】（ａ）（ｂ）（ｃ）は本発明のクッキングヒータの動作時における運転状態及び火力調節状態を示す詳細図である。
【符号の説明】
【００３８】
１  本体
２  トッププレート
３  プレート枠
４  ジョイント部品
５  表示部
６  インダクションヒータ
７  ラジェントヒータ
８  魚焼きグリル部
１０  火力調節スイッチ類
１３  メインスイッチ
【図１】
2006228585.tif 000003
【図２】
2006228585.tif 000004
【図３】
2006228585.tif 000005